(57)【要約】  本発明は、プロフィールストリップ１２と環状シール要素とを備えるプロフィールクランプ２６に関する。プロフィールストリップ１２は、クランプ要素１８、２８を介して互いに接続される２つのクランプヘッド１４、１６を有する。本発明は、プロフィールストリップ１２が、プロフィールクランプ２６に結合するライン端部３０の形状特徴３２に適合する、ばね弾性の支承部分３８を有する少なくとも１つの径方向外側の位置決め補助部３４を有し、補助部がプロフィールストリップ１２に対して軸線方向にオフセットされた形で配置されることを特徴とする。【選択図】図２
2021524902.tif 000002
【特許請求の範囲】
【請求項１】
プロフィールバンド（１２）と環状封止要素とを備えるプロフィールクランプ（１０、２６、５０）であって、
前記プロフィールバンド（１２）が、テンション要素（１８、２８）を介して互いに接続された２つのテンションヘッド（１４、１６）を有し、
前記プロフィールバンド（１２）が、前記プロフィールクランプ（１０、２６、５０）に結合するライン端部（３０、５２）の形状特徴（３２、５６）に付着する、ばね弾性の支承部分（３８、７０）を有する少なくとも１つの径方向外側の位置決め補助部（２４、３４、５４）を有し、
該位置決め補助部が前記プロフィールバンド（１２）に対して軸線方向にオフセットされて配置されるプロフィールクランプ（１０、２６、５０）。
【請求項２】
少なくとも１つの前記位置決め補助部（２４、３４、５４）が、前記プロフィールバンド（１２）に接続される別個の構成要素である請求項１に記載のプロフィールクランプ（１０、２６、５０）。
【請求項３】
前記プロフィールバンド（１２）が、少なくとも２つの円周方向に離隔された前記位置決め補助部（２４、３４、５４）を有する請求項１または請求項２に記載のプロフィールクランプ（１０、２６、５０）。
【請求項４】
前記位置決め補助部（２４、３４、５４）が金属シートから一個片で作製される請求項１から請求項３のいずれかに記載のプロフィールクランプ（１０、２６、５０）。
【請求項５】
前記位置決め補助部（２４、３４、５４）が、前記プロフィールバンド（１２）の外周（２２）に装着するように設計された締結部分（３６、５８）を有し、
前記支承部分（３８、７０）が、前記締結部分（３６、５８）から離された前記位置決め補助部（２４、３４、５４）の端部に配置される請求項１から請求項４のいずれかに記載のプロフィールクランプ（１０、２６、５０）。
【請求項６】
前記支承部分（３８、７０）がストリップ状の舌の形態である請求項１から請求項５のいずれかに記載のプロフィールクランプ（１０、２６、５０）。
【請求項７】
前記支承部分（３８、７０）が前記プロフィールバンド（１２）の円周方向（ｕ）から斜めに延在する請求項６に記載のプロフィールクランプ（１０、２６、５０）。
【請求項８】
前記支承部分（３８、７０）が径方向内側に曲げられるかまたは捻られる請求項５から請求項７のいずれかに記載のプロフィールクランプ（１０、２６、５０）。
【請求項９】
前記支承部分（３８、７０）が軸線方向に曲げられるかまたは捻られる請求項５から請求項８のいずれかに記載のプロフィールクランプ（１０、２６、５０）。
【請求項１０】
請求項１から請求項９のいずれかに記載のプロフィールクランプ（１０、２６、５０）が配置されるライン端部（３０、５２）を有するライン接続構成。
【請求項１１】
前記ライン端部（３０、５２）が、少なくとも１つの前記位置決め補助部（２４、３４、５４）が付着する少なくとも１つの円周方向の形状特徴（３２、５６）を有する請求項１０に記載のライン接続構成。
【請求項１２】
前記形状特徴（３２、５６）が突起（３２）または切欠き（５６）である請求項１１に記載のライン接続構成。
【発明の詳細な説明】
【技術分野】
【０００１】
本発明は、請求項１のプリアンブルによる封止要素を有するプロフィールクランプに関し、かかるプロフィールクランプを有するライン接続構成に関する。
【背景技術】
【０００２】
プロフィールクランプは、例えば、径方向外側に向いたフランジを備え、端部側で互いに接合される、２つのパイプ端部の液密接続に使用することができる。この目的のため、フランジは互いに対して位置決めされ、プロフィールクランプは、張力付与可能な全体的に分割されたプロフィールバンドを用いてフランジ上に置かれる。接続は、プロフィールクランプに張力を付与して、軸線方向および径方向の保持力がフランジに作用することによって固定される。この目的のため、プロフィールクランプのプロフィールバンドは、一般的に、フランジと表面接触するようになる、おおよそＵ字形またはＶ字形の断面を有する。
【０００３】
設置空間が特に限定されている場合、他の構成要素に必要な設置空間と重なり合うのを防ぐため、張力を付与する前にプロフィールクランプを正確に配向することが必要なことがある。問題のタイプのプロフィールクランプが、例として示されている（特許文献１参照。）。
【先行技術文献】
【特許文献】
【０００４】
【特許文献１】独国特許第１０２００９０３９８６２号明細書
【発明の概要】
【発明が解決しようとする課題】
【０００５】
本発明の目的は、設置空間が限定されていても、互いに接続される構成要素の少なくとも１つに位置決めすることを可能にする、プロフィールクランプを提案することである。
【課題を解決するための手段】
【０００６】
本発明の主な特徴は、請求項１の特徴部分で指定される。実施形態は請求項２から９の主題を形成する。請求項１０から請求項１２は、本発明によるプロフィールクランプが使用されるライン接続構成に関する。
【０００７】
上述の目的を達成するため、プロフィールバンドと環状封止要素とを備えるプロフィールクランプにおいて、プロフィールクランプに結合することができるライン端部の形状特徴に付着するばね弾性の支承部分を有する少なくとも１つの径方向外側の位置決め補助部であって、プロフィールバンドに対して軸線方向にオフセットされて配置される補助部を有する、プロフィールバンドが提供される。
【０００８】
本発明によれば、プロフィールバンドは、したがって、少なくとも１つの位置決め補助部によってライン端部上で支持することができる。ライン端部は、ライン端部の特に径方向外側領域に配置され、位置決め補助部によってそこに付着させるのに使用される、特定の形状特徴を有することができる。位置決め補助部は、問題の形状特徴に形状を適合させたばね弾性の支承部分を有する。軸線方向のオフセットにより、位置決め補助部は、プロフィールバンドからライン端部に向かって延在することができる。支承部分の支承面の付着によって、保持力が少なくとも円周方向でプロフィールバンドに加えられて、瞬間位置が維持される。ユーザは、更に、プロフィールクランプを配置するとき、プロフィールクランプがその意図される位置に載置されており、少なくとも１つの位置決め補助部が問題の形状特徴上に配置されていれば、感触によって直接位置合わせすることができる。一方で、位置決め補助部の弾性により、位置決め補助部は、プロフィールバンドが締め付けられるときの締め付ける動きに従うことができる。プロフィールバンドの直径は、締付けの際に小さくなるが、位置決め補助部のみが弾性変形するので、プロフィールバンドの締付けにも適正な配向にも干渉しない。
【０００９】
１つの有利な実施形態として、少なくとも１つの位置決め補助部が、プロフィールバンドに接続される別個の構成要素であってもよい。別個の構成要素を使用することによって、位置決め補助部の材料特性をプロフィールバンドの構成とは独立して選ぶことが容易に可能になる。材料は、プロフィールバンドの材料とは異なるものであることができる。別の方法として、またはそれに加えて、材料厚さも異なることができる。位置決め補助部は、材料特性および形状を相応に選択することによって、いずれの意図される用途にも適合させることができる。
【００１０】
特に好ましい実施形態として、プロフィールバンドが、少なくとも２つの円周方向に離隔された位置決め補助部を有していてもよい。したがって、ライン端部上におけるプロフィールバンドの位置は、少なくとも２つの円周方向に作用する保持力によって保持される。結果として、プロフィールクランプの初期位置決めを実施するのが、個々の位置決め補助部が１つしかない場合よりも更に簡単になる。それに加えて、複数の位置決め補助部がそれぞれの場合に単一の方向で、ただし全般的には様々な方向で、円周方向の保持力を生成することができるので、２つ以上の位置決め補助部の幾何学形状を非常に簡単な形で構成することができる。このように、第１の位置決め補助部は第１の方向で保持力を生成することができ、第２の位置決め補助部は、第１の方向とは反対の第２の方向で保持力を生成する。したがって、２つの位置決め補助部の支承部分は、それぞれ反対方向で自由に移動することができ、プロフィールクランプを単一の円周方向のみで保持または案内しなければならない。
【００１１】
好ましくは、位置決め補助部が、金属シートから一個片で作製されてもよい。特定の整形により、金属シートは、相応の意図される用途に適合されたばね弾性挙動を有することができる。金属シートは簡単にコスト効率良く加工することができるので、位置決め補助部の製造コストも最小限である。それに加えて、金属シートから作製される位置決め補助部は、耐熱性および耐振性であるように構成することができる。
【００１２】
１つの有利な実施形態として、位置決め補助部が、プロフィールバンドの外周に装着するように設計された締結部分を有し、支承部分が、締結部分から離された位置決め補助部の端部に配置されていてもよい。締結部分は、位置決め補助部をプロフィールバンドに締結するように設計することができる。締結の種類および構成に応じて、締結部分の設計は様々であることができる。位置決め補助部には非常に小さい力しか作用しないので、締結部分の締結には高強度の接続を要しない。しかしながら、本発明によるプロフィールクランプの用途に応じて、特に耐熱性であるはんだ付けまたは溶接した接続を使用するのが得策であることがある。支承部分は、問題のライン端部の形状特徴に適合させることができる。支承部分と締結部分との間には、２つの部分を互いに接続する特定の遷移領域を配置することができる。
【００１３】
好ましくは、支承部分がストリップ状の舌の形態であってもよい。したがって、位置決め補助部は、プロフィールバンドに固く接続された締結部分と、そこから延在する、特にストリップ形状である舌とを有することができる。ストリップ状の舌は、少なくとも実質的に一定の幅を有することができる。締結部分の反対側に配置された支承部分の一端は、プロフィールバンドまたはプロフィールクランプから自由に突出することができる。この形状により、機械的に非常に単純な形で、所望のばね挙動がもたらされる。
【００１４】
１つの有利な実施形態として、支承部分がプロフィールバンドの円周方向に対して斜めに延在していてもよい。円周方向とは、プロフィールクランプによって規定される円周に従う方向である。それに対して斜めの方向は円周面にあることができ、支承部分の延長方向は、支承部分の延長方向との交点におけるプロフィールバンドの円周の接線に対して斜めである。しかしながら、斜め方向はまた、プロフィールバンドの円周面に対して平行でないいずれの方向も含むことができる。当然ながら、支承部分は、支承部分に対する要件に応じて、複数の方向で斜めに延びることもできる。
【００１５】
したがって、例えば、支承部分は径方向内側に曲げるかまたは捻ってもよい。これは、特にプロフィールクランプが開いた状態での、位置決め補助部の中立位置、つまり無負荷状態に関する。内側に曲げられるかまたは捻られた形状によって、常に径方向内向きに作用する、所望のばね力が発生する。
【００１６】
別の方法として、またはそれに加えて、支承部分が軸線方向に曲げるかまたは捻ってもよい。このように、支承部分は、プロフィールクランプの軸線方向に沿って多かれ少なかれ曲げるかまたは捻ることができる。これにより、軸線方向のばね力がもたらされる。
【００１７】
最初に提示した目的は、加えて、上記のプロフィールクランプが配置されるライン端部を有するライン接続構成によって達成される。プロフィールクランプは、好ましくは、ライン端部上またはその上に配置されたフランジ上に予め装着し、第２のライン端部に接続されるまで、まだまたはほとんど張力が付与されない状態で保持することができる。
【００１８】
上述したように、ライン端部は少なくとも１つの円周方向の形状特徴を有することができ、そこに少なくとも１つの位置決め補助部が付着する。ここで、形状特徴とは、支承部分をライン端部上で支持するか、または支承部分がライン端部に位置することを可能にする、ライン端部の任意の幾何学形状特性を意味するものと理解される。ここで、形状特徴は、特に、円周方向に作用する力を位置決め補助部によってプロフィールクランプに導入することができるように、顕著なものであるべきである。プロフィールクランプの装着の間、前記クランプはそれによって所定位置に押し込まれる。形状特徴は、ライン端部に形成されたフランジ上に配置することができる。
【００１９】
ここで、形状特徴が突起または切欠きであることが特に好ましい。突起は、必ずしも位置決めだけの目的で作製されなくてもよい。それよりもむしろ、センサラインまたは類似の目的の接続開口部として、ライン端部を保持するのに使用される既存の突起に、位置決め補助部を適合させることが適切であり得る。これは、位置決め補助部の形状だけではなく、プロフィールバンド上におけるその位置に、または位置決め補助部が複数の場合はそれらの円周方向の分布にも関連する。いずれにせよ、特に位置決め補助部を用いた位置決めのため、切欠きを設けることが可能であろう。
【００２０】
本発明の更なる特徴、詳細、および利点は、特許請求の範囲の文言によって、また図面を参照する例示的実施形態の以下の説明によって明白となるであろう。
【図面の簡単な説明】
【００２１】
【図１】プロフィールクランプの概略立体図である。
【図２】位置決め補助部が軸線方向で曲げられている、更なる例示的実施形態の立体図である。
【図３】（ａ），（ｂ）位置決め補助部が径方向で曲げられている、更なる例示的実施形態の立体図である。
【発明を実施するための形態】
【００２２】
図１は、テンションヘッドまたはテンション顎部１４、１６を備えるプロフィールバンド１２を備える、本発明に係るプロフィールクランプ１０を示している。
テンション要素１８は、２つのテンションヘッド１４、１６を互いに接続し、プロフィールバンド１２を締め付けるように設計される。後者は、テンションヘッド１４、１６とは反対側にあるブリッジ要素２０を用いて互いに接続される、２つの半片１２ａ、１２ｂに分割される。これによってある程度の弾性がもたらされ、その弾性によって単純なヒンジが形成されて、締付け中の２つの半片１２ａ、１２ｂの相対移動が可能になる。
【００２３】
プロフィールバンド１２は、複数の円周方向に分配された位置決め補助部２４を備える外周２２に設けられる。これらは、概略図では、外周２２から軸線方向に延在するストリップ状の金属板として、非常に単純な形態で示される。しかしながら、この図から、位置決め補助部２４は別個の構成要素として作製され、締結要素２６を介してプロフィールバンド１２に接続されることが分かる。これにより、位置決め補助部２４をプロフィールバンド１２とは別の工作物から作製することができる。したがって、例えば、異なる材料厚さを実現することが可能である。
【００２４】
位置決め補助部２４は、特に、金属材料から作製することができる。その目的は、位置決め補助部２４が、プロフィールクランプ１０の装着中にその回転を防ぐ円周方向の力ｕを加えるために、ライン端部（図示なし）の形状特徴と接触させることができるばね弾性要素を提供することである。更に、位置決め補助部２４は、問題のライン端部上で意図される位置をとるのにも適している。この目的のため、位置決め補助部２４は、例えば、プロフィールクランプ１０をライン端部上の意図される位置だけに装着できるような形で配置することができる。
【００２５】
図示される非常に単純な図では、位置決め補助部２４は、細長いストリップ状の形状であることにより、径方向に跳ね返る金属板ばねとして作用する。これにより、プロフィールクランプ１０が開いている場合、位置決め補助部２４がライン端部の関連する形状特徴に付着することが可能になる。テンション要素１８によってプロフィールクランプ１０を締め付ける際、半片１２ａ、１２ｂの移動は抵抗を受けず、位置決め補助部２４は径方向外側に跳ね返ることができる。ここで、これらの要素は、プロフィールクランプ１０が再び開いた場合、それらの位置決めの機能を維持する。そのため、形状特徴に付着したまま、跳ね返って元の位置に戻ることができる。
【００２６】
図２は、プロフィールクランプ２６の形態の更なる例示的な実施形態を示している。ここでもやはり、テンション要素２８を用いて締め付けることができる、２つの半片１２ａ、１２ｂを有するプロフィールバンド１２が示されている。図２は、同時に、プロフィールクランプ２６が配置されたライン端部３０を示している。ライン端部３０は、突起、または貫通孔、または更なるラインの接続の形態の形状特徴３２を有する。プロフィールクランプ２６上には、締結部分３６および支承部分３８を有する位置決め補助部３４が載置されている。締結部分３６は、プロフィールバンドの半片１２ｂの形状に従い、角領域４０に、締結部分３６と支承部分３８との間の遷移領域４４が隣接する折り目４２を有する。折り目４２は、遷移領域４４がほぼ径方向だけに延在するような形で構成され、約４５°のキンク４６が遷移領域４４と支承部分３８との間に配置される。したがって、支承部分３８は軸線方向に屈曲される。結果として、位置決め補助部３４は、円周方向および軸線方向でばねとして作用する。
【００２７】
プロフィールクランプ２６を締め付ける際、位置決め補助部３４が締め付ける動きに干渉する可能性はほぼない。径方向の遷移領域４４によって、支承部分３８は、プロフィールバンド１２に対して径方向にオフセットされて配置され、したがって、形状特徴３２に沿って摺動することができる。プロフィールクランプ２６の締付け位置に達しても、支承部分３８はまだプロフィールバンド１２の径方向外側にある。それでもなお、ライン端部３０上におけるプロフィールクランプ２６の正確な位置決めを、支承部分３８によって実施することができる。
【００２８】
特に、支承部分３８の構成により、位置決め補助部３４は、ほぼ径方向に延在する形状特徴３２の表面４８に付着するのに適している。この図は、斜視図を所与として、位置決め補助部３４を半片１２ａ上にも配置できることを明示するものではない。
【００２９】
図３ａは、ライン端部５２上に位置付けられたプロフィールクランプ５０の形態の、更なる例示的な実施形態を示している。この例示的な実施形態は、形状特徴の完全に異なる構成に適合することができる位置決め補助部を示す。ここで、上述の例示的な実施形態と同様に、形状特徴５６に適合された位置決め補助部５４が示される。形状特徴５６は、径方向外側に向けられた一種の切欠きとして構成される。位置決め補助部５４は、プロフィールバンド１２の半片１２ｂに接続された締結部分５８を有する。締結部分５８の角領域６０では、３つの連続するキンク６４、６６、６８を有する遷移領域６２が隣接している。２つのキンク６４、６６は円周方向ｕにほぼ平行に延在し、結果として、遷移領域６２は、締結部分５８にほぼ平行に延びるプラトーが隣接する、一種の径方向および軸線方向に延在する傾斜を形成する。したがって、キンク６８は軸線方向に平行に延びる。これには支承部分７０が隣接し、したがって支承部分は径方向に屈折する。
【００３０】
支承部分７０は、その形状により、円周方向または径方向のばね力を生成する。締結部分５８に対して軸線方向および径方向にオフセットしているため、形状特徴５６は、支承部分７０によってほぼ取り囲むことが可能であり、プロフィールクランプ５０に張力を付与すると、支承部分７０および遷移領域６２が径方向でわずかに外側に跳ね返ることができる。したがって、プロフィールクランプ５０の締付けは抵抗を受けない。
【００３１】
図３ｂは、形状特徴５６を概略的に示しており、その切欠き形状を非常にはっきり示している。形状特徴５６は、ライン端部５２の反りを標的にすることによって作製することができる。これは、実際上、位置決め補助部を用いて精密な位置決めを実施できるように、任意の所望のライン端部を用いて実施することができる。切欠き５６は、必ずしもライン端部を変形させることによって作らなくてもよい。それよりもむしろ、やはり切欠き状であることができる突起を、はんだ付けまたは接着剤で結合することも可能である。
【００３２】
本発明は、上述の実施形態の１つに限定されず、多くの形で修正することができる。
【００３３】
請求項、明細書、および図面から派生する、構造上の詳細、空間配置、および方法ステップを含む、特徴ならびに利点は全て、それら自体および様々な組合せの両方で本発明には必須であり得る。
【符号の説明】
【００３４】
１０  プロフィールクランプ
１２  プロフィールバンド
１２ａ、１２ｂ  プロフィールバンドの半片
１４  テンションヘッド
１６  テンションヘッド
１８  テンション要素
２０  ブリッジ要素
２２  外周
２４  位置決め補助部
２６  プロフィールクランプ
２８  テンション要素
３０  ライン端部
３２  形状特徴／突起
３４  位置決め補助部
３６  締結部分
３８  支承部分
４０  角領域
４２  折り目
４４  遷移領域
４６  キンク
４８  径方向表面
５０  プロフィールクランプ
５２  ライン端部
５４  位置決め補助部
５６  形状特徴／突起
５８  締結部分
６０  角領域
６２  遷移領域
６４  キンク
６６  キンク
６８  キンク
７０  支承部分
Ｕ  円周方向
【図１】
2021524902.tif 000003
【図２】
2021524902.tif 000004
【図３ａ】
2021524902.tif 000005
【図３ｂ】
2021524902.tif 000006
【国際調査報告】
2021524902.tif 000007
2021524902.tif 000008
2021524902.tif 000009
2021524902.tif 000010